(57)【要約】【課題】浮力用基盤の設置を容易に行うことができると共に、強度も均一に行うことができるようにする。【解決手段】地盤２上に設けられる建造物１の基礎１の下部に前記地盤２の密度より小さい浮力用基盤１４を埋設し、前記浮力用基盤１４は複数の分割された直方体形状の浮力用基盤ブロック２５を連続して形成される。隣接する一方の浮力用基盤ブロック２２Ａの長軸方向Ｘに対して他方の浮力用基盤ブロック２２Ｂの長軸Ｘが交差するように配置される。比較的大型な浮力用基盤１４であっても、複数の分割された浮力用基盤ブロック２２Ａ，２２Ｂを配置することによって、容易に設置工事を行うことができる。また、浮力用基盤ブロック２２Ａ，２２Ｂにおいて強度上不均一な箇所があっても、長軸方向Ｘを互いに直交するように浮力用基盤ブロック２５を配置することで、浮力用基盤１４全体としては均一な強度を保つことができるようになる。【選択図】      図１
2004285769.tif 000002
【特許請求の範囲】
【請求項１】
地盤上に設けられる建造物の基礎の下部に前記地盤の密度より小さい浮力用基盤を埋設した建造物における基礎構造であって、前記浮力用基盤は複数の分割された浮力用基盤ブロックを連続して形成されることを特徴とする建造物における基礎構造。
【請求項２】
前記浮力用基盤ブロックは直方体形状であることを特徴とする請求項１記載の建造物における基礎構造。
【請求項３】
前記浮力用基盤ブロックの平面は長軸方向と該長軸方向に直交する短軸方向を備え、隣接する浮力用基盤ブロックのうち一方の浮力用基盤ブロックの長軸方向に対して他方の浮力用基盤ブロックの長軸方向が交差するように前記浮力用基盤ブロックが複数配置されることを特徴とする請求項２記載の建造物における基礎構造。
【請求項４】
地盤を掘削して土砂を排除し、次いで、土砂を排除して形成された穴に地盤より密度の小さい物からなる浮力用基盤を載置した後、該浮力用基盤の上に建造物の基礎を設けた建造物における基礎構造の構築工法において、前記浮力用基盤は、複数のブロックを連続して配置して形成することを特徴とする建造物における基礎構造の構築工法。
【発明の詳細な説明】
【０００１】
【発明の属する技術分野】
本発明は、地盤上に建造物を造ることによる地盤沈下対策及び不同沈下対策として施工することのできる建造物における基礎構造及びその構築工法に関する。
【０００２】
【従来の技術】
従来、この種のものとして地盤上に設けられる建造物の基礎の下部に前記地盤の密度より小さい浮力用基盤を埋設した建造物における基礎構造であって、前記建造物の基礎の全域において、前記基盤の単位面積当りの浮力を、前記建造物及び前記基礎の単位面積当りの荷重から単位面積当りの地盤強度を引いた値にほぼ等しくして、前記建造物の基礎の全域において基盤を調節して建造物を均一に支持することができる建造物における基礎構造及びその構築工法が公知である（例えば、特許文献１参照。）。
【０００３】
【特許文献１】
特開２００３−１３４６０号公報（段落０００５〜０００６）
【０００４】
【発明が解決しようとする課題】
従来技術においては、浮力用基盤を埋設するものであるが、その作業は浮力用基盤の容積が大きいので大掛かりで煩雑な工事であるという問題があった。また、浮力用基盤の配置において強度が不均一な箇所があると、該箇所における地盤沈下対策を正確に行うことができなくなるという問題もある。
【０００５】
そこで、本発明は、地盤上に設けられる建造物の基礎の下部に前記地盤の密度より小さい浮力用基盤を埋設した建造物における基礎構造及びその構築工法において、前記浮力用基盤の設置を容易に行うことができると共に、強度も均一に行うことができるようにすることを目的とする。
【０００６】
【課題を解決するための手段】
請求項１の発明は、地盤上に設けられる建造物の基礎の下部に前記地盤の密度より小さい浮力用基盤を埋設した建造物における基礎構造であって、前記浮力用基盤は複数の分割された浮力用基盤ブロックを連続して形成されることを特徴とする建造物における基礎構造である。
【０００７】
この請求項１の構成によれば、複数の分割された浮力用基盤ブロックを連続して配置することによって浮力用基盤を形成することができる。
【０００８】
請求項２の発明においては、前記浮力用基盤ブロックは直方体形状であることを特徴とする請求項１記載の建造物における基礎構造である。
【０００９】
この請求項２の構成によれば、浮力用基盤ブロックは上面が平な直方体形状となる。
【００１０】
請求項３の発明は、前記浮力用基盤ブロックの平面は長軸方向と該長軸方向に直交する短軸方向を備え、隣接する浮力用基盤ブロックのうち一方の浮力用基盤ブロックの長軸方向に対して他方の浮力用基盤ブロックの長軸方向が交差するように前記浮力用基盤ブロックが複数配置されることを特徴とする請求項２記載の建造物における基礎構造である。
【００１１】
この請求項３の構成によれば、隣接する浮力用基盤ブロックは相互間で長軸方向は互いに直交するように配置される。
【００１２】
請求項４の発明は、地盤を掘削して土砂を排除し、次いで、土砂を排除して形成された穴に地盤より密度の小さい物からなる浮力用基盤を載置した後、該浮力用基盤の上に建造物の基礎を設けた建造物における基礎構造の構築工法において、前記浮力用基盤は、複数のブロックを連続して配置して形成することを特徴とする建造物における基礎構造の構築工法である。
【００１３】
この請求項４の構成によれば、複数の分割された浮力用基盤ブロックを連続して配置することによって浮力用基盤を形成することができる。
【００１４】
【発明の実施形態】
以下、本発明の実施形態を添付図を参照して一実施形態を説明する。２階建ての建造物１を設置する場所の地盤２に、１階箇所を支持するコンクリートからなる基礎３が設けられており、この基礎はフーチングなどと称せられる幅広な下部４上に幅狭な立上り部５を設けたもので、この立上り部５の上面に土台（図示せず）が載置される。そして、基礎３は図２に示すように建造物１の間取りなどに応じて一側（図１において下側）に配置される一側外枠部６、他側（図１において上側）に配置される他側外枠部７、一側及び他側を結ぶ仮想線に直交する一方及び他方（図１において左側及び右側）に配置される一方外枠部８及び他方外枠部９、該外枠部６，７，８，９の内側に例えば十字状に配置される一側から他側への横断部１０及び該横断部１０の両側に直交する交差部１１、さらに一側外枠部６と横断部１０の内側に配置される小仕切り部１２等が配置されている。
【００１５】
地盤沈下対策及び不同沈下対策として施工する浮力用基盤１４は、前記基礎１の下部に前記地盤２の密度より小さい基盤を埋設して形成するものである。該浮力用基盤１４は、地盤強度を予め計測、調査し、そして地盤２を掘削して穴１５を形成し、次に穴１５に地盤の密度より小さい浮力用基盤１４を埋設する。浮力用基盤１４としては、軽量で、必要な圧縮強度を有するものであればよく、プラスチック発泡体もしくは土より密度が小さい発泡体等の物よりなるものを挙げることができる．この浮力用基盤１４は、環境に配慮した材料であることが好ましい。また、浮力用基盤１４の強度は、建造物１の構造により異なるが一般的には１０〜２００ＫＮ／平方メートルである。また、その密度は土より密度が小さい材料である。そして、浮力用基盤１４上にプラスチックシート等の防水布１６を敷設後に、その上面に捨てコンクリート１７を設け、さらに捨てコンクリート１７上に形枠（図示せず）を設置した後に、該形枠にコンクリートを流し込んで基礎１を形成するものである。
【００１６】
前記浮力用基盤１４は、平面的には前記基礎１に沿って前記基礎１に対向するように配置されている。そして、浮力用基盤１４は、前記一側外枠部６、他側外枠部７、一方外枠部８、他方外枠部９、横断部１０、交差部１１、小仕切り部１２にそれぞれ対応して、一側外枠対応部１８、他側外枠対応部１９、一方外枠対応部２０、他方外枠対応部２１、横断対応部２２、交差対応部２３、小仕切り対応部２４が形成されている。これら一側外枠対応部１８、他側外枠対応部１９、一方外枠対応部２０、他方外枠対応部２１、横断対応部２２、交差対応部２３、小仕切り対応部２４の浮力用基盤１４は、複数の分割された図５に示すような浮力用基盤ブロック２５を連続配置して形成されている。前記浮力用基盤ブロック２５は直方体形状であって、その平面は長軸方向Ｘと該長軸方向Ｘに直交する短軸方向Ｙを備えるようになっており、長軸方向Ｘの長さは短軸方向Ｙの長さに対して、例えば２倍、３倍等のように整数倍に形成されている。例えば長軸方向Ｘの長さＬを２ｍ、短軸方向Ｙの長さＭを１ｍ、厚みＮを０．１〜０．５ｍに形成されている（Ｌ＞Ｍ）。尚、浮力用基盤ブロック２５は例えば厚みが０．１ｍのものと、厚みが０．５ｍのものを２枚積み重ねるように複数積み重ねるようにしてもよい。
【００１７】
そして、平面的にみて横断対応部２２においては、一側（図１においては下側）より、長軸方向Ｘを一側から他側（図１においては上側）に向けて左右一対の１段目の浮力用基盤ブロック２２Ａを配置する。この１段目の浮力用基盤ブロック２２Ａの一側に連続して直線的に配置される２段目の浮力用基盤ブロック２２Ｂの長軸方向Ｘは、１段目の浮力用基盤ブロック２２Ａの長軸方向Ｘに対して直交する。さらに、２段目の浮力用基盤ブロック２２Ｂの一側に連続して直線的に配置される左右一対の３段目の浮力用基盤ブロック２２Ｃの長軸方向Ｘは、２段目の浮力用基盤ブロック２２Ｂの長軸方向Ｘに対して直交する。すなわち、３段目の浮力用基盤ブロック２２Ｃの長軸方向Ｘは、１段目の浮力用基盤ブロック２２Ａの長軸方向Ｘと同じ方向となる。同様に、３段目の浮力用基盤ブロック２２Ｃの一側に連続して直線的に配置される４段目の浮力用基盤ブロック２２Ｄの長軸方向Ｘは、３段目の浮力用基盤ブロック２２Ｃの長軸方向Ｘに対して直交し、さらに４段目の浮力用基盤ブロックの一側に連続して直線的に配置される５段目の左右一対の浮力用基盤ブロック２２Ｅの長軸方向Ｘは、４段目の浮力用基盤ブロック２２Ｄの長軸方向Ｘに対して直交するようになっている。
【００１８】
さらに、左右一対に設けられる交差対応部２３に位置する浮力用基盤ブロック２３Ａ，２３Ｂの長軸方向Ｘは、３段目の浮力用基盤ブロック２２Ｃの長軸方向Ｘに対して直交するようになっている。また、一側外枠対応部１８、他側外枠対応部１９に位置する浮力用基盤ブロック１８Ａ，１９Ａの長軸方向Ｘは、１、５段目の浮力用基盤ブロック２２Ａ，２２Ｅの長軸方向Ｘに対して直交するようになっている。さらに、長軸方向Ｘを一致させて複数直線に配置した一方外枠対応部２０に位置する浮力用基盤ブロック２０Ａ〜２０Ｄの長軸方向Ｘは、浮力用基盤ブロック２３Ａの長軸方向Ｘに対して直交するようになっている。また、長軸方向Ｘを一致させて複数直線に配置した他方外枠対応部２１に位置する浮力用基盤ブロック２１Ａ〜２１Ｄの長軸方向Ｘは、それぞれ浮力用基盤ブロック１８Ａ、浮力用基盤ブロック２３Ａ、浮力用基盤ブロック１９Ａの長軸方向Ｘに対して直交するようになっている。
【００１９】
次に前記構成についてその作用を説明する。地盤２に浮力用基盤ブロック２５を埋設し、該浮力用基盤ブロック２５上に基礎３、建造物１を設け、基礎２、建造物１の荷重を、地盤２を掘削した排土砂の荷重とバランスさせることにより、地中応力の増加を少なくして、いわゆるフローティング基礎構造とすることができる。このように掘削によって排除する土砂の荷重を建造物２と基礎１との荷重近くまで大きくし、土砂より密度が小さい材料の浮力用基盤ブロック２５を敷設することで沈下応力の増加を防ぎ、軟弱な地盤２であっても建造物１の沈下を抑制し安定を保つことができる。
【００２０】
以上のように、前記実施形態では地盤２上に設けられる建造物１の基礎１の下部に前記地盤２の密度より小さい浮力用基盤１４を埋設し、前記浮力用基盤１４は複数の分割された浮力用基盤ブロック２５を連続して形成されることにより、比較的大型な浮力用基盤１４であっても、複数の分割された浮力用基盤ブロック２５を配置することによって、容易に設置を行うことができる。
【００２１】
さらに、前記浮力用基盤ブロック２５は直方体形状であるので、連続して配置した浮力用基盤ブロック２５の平な上面上に基礎１を容易に設けることができるようになる。
【００２２】
しかも、前記浮力用基盤ブロック２５の平面は長軸方向Ｘと該長軸方向Ｘに直交する短軸方向Ｙを備え、隣接する浮力用基盤ブロック２５のうち一方の浮力用基盤ブロック２５の長軸方向Ｘに対して他方の浮力用基盤ブロック２５の長軸方向Ｘが交差するように前記浮力用基盤ブロック２５が複数配置されることにより、浮力用基盤ブロック２５において強度上不均一な箇所があっても、長軸方向Ｘを互いに直交するように浮力用基盤ブロック２５を配置することで、浮力用基盤１４全体としては均一な強度を保つことができるようになる。
【００２３】
さらに、地盤２を掘削して土砂を排除し、次いで、土砂を排除して形成された穴１５に地盤２より密度の小さい物からなる浮力用基盤１４を載置した後、該浮力用基盤１４の上に建造物１の基礎３を設ける際に、前記浮力用基盤１４は、複数のブロック２５を連続して配置して形成することにより、比較的大型な浮力用基盤１４であっても、複数の分割された浮力用基盤ブロック２５を配置する工事によって、容易に設置工事を行うことができる。
【００２４】
尚、本発明は上記実施例に限定されるものではなく、本発明の要旨の範囲内において、種々の変形実施が可能である。例えば建造物の形状に対応して前記建造物の基礎の底面全域において浮力用基盤を設ければよいものであるので、建造物の形状応じて浮力用基盤は種々に変形するものである。
【００２５】
【発明の効果】
請求項１の発明は、地盤上に設けられる建造物の基礎の下部に前記地盤の密度より小さい浮力用基盤を埋設した建造物における基礎構造であって、前記浮力用基盤は複数の分割された浮力用基盤ブロックを連続して形成されることを特徴とする建造物における基礎構造であり、比較的大型な浮力用基盤であっても、複数の分割された浮力用基盤ブロックを配置することによって、容易に設置を行うことができる。
【００２６】
請求項２の発明においては、前記浮力用基盤ブロックは直方体形状であることを特徴とする請求項１記載の建造物における基礎構造であり、連続して配置した浮力用基盤ブロックの上面上に基礎を容易に設けることができるようになる。
【００２７】
請求項３の発明は、前記浮力用基盤ブロックの平面は長軸方向と該長軸方向に直交する短軸方向を備え、隣接する浮力用基盤ブロックのうち一方の浮力用基盤ブロックの長軸方向に対して他方の浮力用基盤ブロックの長軸方向が交差するように前記浮力用基盤ブロックが複数配置されることを特徴とする請求項２記載の建造物における基礎構造であり、浮力用基盤ブロックにおいて強度上不均一な箇所があっても、長軸方向を互いに直交するように浮力用基盤ブロックを配置することで、浮力用基盤全体としては均一な強度を保つことができるようになる。
【００２８】
請求項４の発明は、地盤を掘削して土砂を排除し、次いで、土砂を排除して形成された穴に地盤より密度の小さい物からなる浮力用基盤を載置した後、該浮力用基盤の上に建造物の基礎を設けた建造物における基礎構造の構築工法において、前記浮力用基盤は、複数のブロックを連続して配置して形成することを特徴とする建造物における基礎構造の構築工法であり、比較的大型な浮力用基盤であっても、複数の分割された浮力用基盤ブロックを配置する工事によって、容易に設置工事を行うことができる。
【図面の簡単な説明】
【図１】本発明の一実施形態を示す浮力用基盤の平面図である。
【図２】本発明の一実施形態を示す基礎の平面図である。
【図３】本発明の一実施形態を示す断面図である。
【図４】本発明の一実施形態を示す要部の断面図である。
【図５】本発明の一実施形態を示す浮力用基盤ブロックの斜視図である。
【符号の説明】
１  建造物
２  地盤
３  基礎
１４  発泡樹脂基盤（浮力用基盤）
２５  浮力用基盤ブロック
Ｘ  長軸方向
【図１】
2004285769.tif 000003
【図２】
2004285769.tif 000004
【図３】
2004285769.tif 000005
【図４】
2004285769.tif 000006
【図５】
2004285769.tif 000007